Podtech/llm-jp-corpus-v4-ja_patent huggingface dataset:
(57)【要約】      （修正有）【課題】前・後ろを判別しやすく、逆向きに着間違える心配のない高齢者用下着を提供する。【解決手段】下着のネック部縁３沿いの内側において、正面と真後ろの位置の数センチ幅の領域に、それぞれ「まえ」「うしろ」の文字表示を施した前表示部１及び後ろ表示部２を設ける。【選択図】図２
0003187552.tif 000002
【実用新案登録請求の範囲】
【請求項１】
下着のネック部縁沿いの内側において、正面と真後ろの位置に、数センチ幅の領域に、それぞれ「まえ」「うしろ」の文字表示を施した前表示部及び後ろ表示部を設けたことを特徴とする「まえ」「うしろ」表示付きの高齢者用下着。
【考案の詳細な説明】
【技術分野】
【０００１】  本考案は、下着を前・後ろ逆に着用してしまう心配がないように配慮した高齢者用下着に関するものである。
【背景技術】
【０００２】  下着には、丸首型やＶネック型が一般的にしようされているが、高齢者でなくても、時々前・後ろ逆に着用してしまうことがある。
【考案の概要】
【考案が解決しようとする課題】
【０００３】  丸首型の下着は、首の前側が後ろ側より若干下方に開いているが、僅かな高低差なので高齢者でなくても、着用時に前・後ろが判別しにくかった。Ｖネック型の下着は比較的に判別し易いが、高齢者の場合は、つい間違えて前・後ろ逆に着てしまうことが珍しくなかった。
【課題を解決するための手段】
【０００４】  下着のネック部縁沿いの内側において、正面と真後ろの位置に数センチ幅の領域に、それぞれ「まえ」「うしろ」の文字表示を施した前表示部及び後ろ表示部を設ける。
以上を特徴とする「まえ」「うしろ」表示付きの高齢者用下着である。
【考案の効果】
【０００５】  ネック部縁沿いの内側に、「まえ」「うしろ」の表示があるので、下着に首を通す際に、どちらが前か後ろか迷う迷うことがなく、うっかり前・後ろ逆に着てしまう心配がない。
【図面の簡単な説明】
【０００６】
【図１】  本考案の実施例を表した正面図
【図２】  本考案の別の実施例を表した正面図
【考案を実施するための形態】
【０００７】  下着のネック部縁（３）沿いの内側において、正面と真後ろの位置に、数センチ幅の領域に、それぞれ「まえ」「うしろ」の文字表示を施した前表示部（１）及び後ろ表示部（２）を設ける。
本考案は、以上のような構成であり、これを実際に使用する時は、ネック部縁（３）を両手でちょっと拡げると、前表示部（１）又は後ろ表示部（２）が見えるので、それの視認後に無造作に頭から被って着用すればよく、前・後ろを逆に着てしまう心配がない。
【符号の説明】
【０００８】１  前表示部，２  後ろ表示部，３  ネック部縁
【図１】
0003187552.tif 000003
【図２】
0003187552.tif 000004
(57)【要約】      （修正有）【課題】電力を移動充電器やパソコンのＵＳＢポートから取ることが可能で、コンパクトで持ち運びに便利なフレキシブルアームを備えたＵＶ−ＬＥＤライトを提供する。【解決手段】ＵＳＢ端子と、紫外線ＬＥＤを用いた光源とを電気的に接続するフレキシブルアームと、光源の出射光路上に設置された集光レンズとを備える。【選択図】図１
0003187528.tif 000002
【実用新案登録請求の範囲】
【請求項１】
ＵＳＢ端子と、紫外線ＬＥＤを用いた光源とを電気的に接続するアームを備え、集光レンズを有することを特徴とするＵＶ−ＬＥＤライト。
【請求項２】
前記アームがフレキシブルアームであることを特徴とする請求項１に記載のＵＶ−ＬＥＤライト。
【考案の詳細な説明】
【考案の詳細な説明】
【技術分野】
【０００１】本考案は、ＵＳＢ端子から電力供給を受け、フレキシブルアームを備えたＵＶ−ＬＥＤライトに関する。
【背景技術】
【０００２】現在市販されているＵＶ−ＬＥＤライトの電源は、コンセント式（アダプター式含む）と電池式の２種類であるが、どちらも照射方向を変えるためにはＵＶ−ＬＥＤライト全体を移動しなければならない。
【考案の概要】
【考案が解決しようとする課題】
【０００３】現在、市販されているＵＶ−ＬＥＤライトは、電力をコンセントから取る方式が主流で、この場合、ライトを他の部屋に移動させたり、コンセントのない場所で使用することが困難である。また、電源コードはかさばるため、収納しにくいというデメリットもある。一方、比較的携帯性のある電池式の場合だが、長時間の使用で電力が低くなり、照射力が弱くなるという欠点を持つ。また、従来のＵＶ−ＬＥＤライトは自由に照射方向、角度を変えることが困難である。
【課題を解決するための手段】
【０００４】本考案は、ＵＳＢ端子と、紫外線ＬＥＤを用いた光源とをフレキシブルアームで接続し、ＬＥＤ照射面に集光レンズを使用する構成とした。
【考案の効果】
【０００５】本考案のＵＶ−ＬＥＤライトは、ＵＳＢ端子によって、電力を移動充電器またはパソコンなどから取ることができるため、コンセントのない場所での使用が可能となる。フレキシブルアーム式のため収納も容易。ＵＳＢ端子からＬＥＤライトの間をフレキシブルアームで繋ぐことにより、照射方向、角度を自由に変えることができる。また、ＵＳＢ端子と集光レンズを使うことで、照射効率が向上する。
【図面の簡単な説明】
【０００６】
【図１】実物図である
【図２】回路図である
【図３】ＵＶ−ＬＥＤモジュールである。
【図４】集光部品である。
【図５】ＵＳＢ  ＵＶ−ＬＥＤの応用例である。
【考案を実施するための形態】
【実施例】
【０００７】以下使用方法を説明する。図２に示すようにＵＳＢ端子から５Ｖの電圧を抵抗分割回路により抵抗Ｒを分圧し（１．７Ｖと３．３Ｖ）、３．３ＶをＬＥＤライトにかけ、スイッチ（ＳＷ）のＯＮ／ＯＦＦで、ＬＥＤライトの点灯／消灯を行う。【０００８】以下本考案に係わるＵＳＢ端子について説明する。図５に示すように、ＵＳＢ端子があればどんな場所でも使用可能なほか、コンパクトでもち運びにも大変便利である。例えば、一人１台以上携帯電話を保有する現代、携帯予備バッテリーでも本考案のＵＳＢアダプターが使用できる。よって、利便性、実用性が高くなるといえる。アダプター出力端子部分を変えれば、多くの機器に本考案のＵＳＢアダプターが利用でき、コンパクト化、軽量化、そして省エネ効果が期待できる。【０００９】以下本考案に係わるフレキシブルアームについて説明する。図５に示すように、ＬＥＤライトにフレキシブルアームを取り付けることによって、照射方向、角度、距離を自由に変えることができる。
【図１】
0003187528.tif 000003
【図２】
0003187528.tif 000004
【図３】
0003187528.tif 000005
【図４】
0003187528.tif 000006
【図５】
0003187528.tif 000007
【手続補正書】
【提出日】平成25年9月12日(2013.9.12)
【手続補正１】
【補正対象書類名】実用新案登録請求の範囲
【補正対象項目名】請求項１
【補正方法】変更
【補正の内容】
【請求項１】
：ＵＳＢ端子と、紫外線ＬＥＤを用いた光源とを電気的に接続するアームと、前記光源の出射光路上に設置された集光レンズとを備えることを特徴とするＵＶ−ＬＥＤライト。
(57)【要約】      （修正有）【課題】室内に於いては従来通りの方法で使用するが、野外での作業では、殺虫効果をあげて使用することができる渦巻蚊とり線香を提供する。【解決手段】渦巻き蚊とり線香１の先端鋭角２とその渦巻きの根元端部にも火を付けやすい鋭角３を設けている。野外での使用時は、先端鋭角１と根元端部鋭角２に火を付け、野外用ケースに入れて使用する。室内で使用する場合は、従来通りに先端鋭角２に火を付け、線香立ての先金具を長穴４に差し込めば従来通りに使用ができる。従来の渦巻き蚊とり線香の根元端部にも鋭角をもうけて火を付け易くして両端より熱焼して二倍の殺虫効果を発揮し、野外作業での殺虫効果の激減を解消できる。【選択図】図１
0003187524.tif 000002
【実用新案登録請求の範囲】
【請求項１】
この考案は、従来の渦巻き蚊とり線香は火が付き易い様に先端に鋭角を設けているが、本考案は渦巻きの根元端部にも鋭角を設けて，両端に火を付ける事によって殺虫効果を二倍に上げたものである。
【考案の詳細な説明】
【考案の詳細な説明】
【０００１】  この考案は、従来の渦巻き蚊とり線香は火が付き易い様に先端に鋭角を設けているが本考案は渦巻の根元端部にも鋭角を設けて、両端に火を付けることに因って殺虫効果を二倍に上げたものである。
【背景技術】
【０００２】  現在市販されている渦巻き蚊とり線香の使い方は室内においては約７時間安定した殺虫効果を発揮するが野外での作業に於いては移動作業または風吹く中での作業では殺虫効果は激減する。
【考案が解決しようとする課題】
【０００３】  そこで本考案は以上の課題を解決すべく室内に於いては従来通りの方法で使用するが．野外での作業では．殺虫効果をあげて使用することができる考案である。
【課題を解決するための手段】
【０００４】  従来の渦巻き蚊とり線香の先端鋭角と本考案根元端部に設けた鋭角の両端二カ所を燃焼すれば二倍の殺虫効果を提供する事ができる。
【実施例】
【０００５】  以下、本考案の実施例に基づき説明する、従来の渦巻き蚊とり線香の先端鋭角１、とその渦巻きの根元端部にも火を付けやすい鋭角２、を設けている。野外での使用時は先端の鋭角１．と根元端部鋭角２．に火を付け従来使用している野外用ケースに入れて使用する。また室内で使用する場合いは従来通りに先端鋭角１．に火を付け、線香立ての先金具５、を従来の長穴４、に差し込めば従来どおりに使用ができる。
【産業上の利用可能性】
【０００６】  従来、野外作業では、渦巻き蚊とり線香ケース二個を腰に吊り下げて殺虫効果を上げていたが．一巻は約７時間使用出来るので長時間も作業をしないので蚊とり線香残料は多く残されていた。又二個も腰に吊りさげると作業性が悪く、従来道理の先端鋭角１のみ１か所の燃焼では野外では殺虫効果は少なかった。本考案では、従来の１巻の先端の鋭角１、と本考案根元端部鋭角２との２カ所を燃焼することにより、ケースは１個ですみ両端から燃焼すれば短時間作業で熱焼効果は発揮する効果がある。又１巻の両端より燃焼するので蚊とり線香の残料も少なくてすむ。
【図面の簡単な説明】
【０００７】
【図１】本考案に係る渦巻き蚊とり線香を上から見た正面図。
【図２】線香立て金具に施置された本考案の側面図。
【考案を実施するための形態】
【０００８】  以下に、本考案に係る渦巻蚊とり線香の実施例を図１に基づいて説明する。１、は蚊とり線香，２は従来から成る火が付け易い様に形成された鋭角、３は渦巻蚊とり線香１、の根元端部に設けられた鋭角、４は線香立て金具が入る長穴、５は室内で使用する線香立て金具。
【符号の説明】
【０００９】１  蚊とり線香
２  鋭角
３  根元端部鋭角
４  長穴
５  線香立て金具
【図１】
0003187524.tif 000003
【図２】
0003187524.tif 000004
【手続補正書】
【提出日】平成25年9月7日(2013.9.7)
【手続補正１】
【補正対象書類名】実用新案登録請求の範囲
【補正対象項目名】全文
【補正方法】変更
【補正の内容】
【実用新案登録請求の範囲】
【請求項１】
先端部と根元端部が、ともに鋭角形状である渦巻蚊とり線香。
(57)【要約】      （修正有）【課題】不法侵入者、及び野良猫が気つかずに、しかも、恐怖感を抱かせるような連続する爆竹の大音響と閃光を発生する防犯及び野良猫防止用電子爆竹を提供する。【解決方法】市販の電子爆竹１と照明器具用のキヤノピースイッチ３とテグス１０号〜３０号２、５〜２０ｍを接続する。不法侵入者、及び野良猫が入ってきそうな家の開口部の周辺の場所の庭木、庭石窓枠、フラワーボックス、物干しの支柱、ブロック、物置などにテグスの端を結びつける、そのテグス２を地面より高さ１０〜５０ｃｍに横へ張り、もう一方の端のテグス２と結んだキヤノピースイッチ３を上記の庭木などにテープなどで結びつけて固定する。電子爆竹１は軒下の壁に取り付けて雨などがかからないようにして、プラグ５を家の防水コンセントに差し込む。【選択図】図１
0003187523.tif 000002
【実用新案登録請求の範囲】
【請求項１】
家庭用コンセントから引いた電力により爆音と閃光を発する電子爆竹と長いテグスとそのテグスを横に真っすぐに張るために重しをかねた、キヤノピースイッチとテグスを引っかけて引っぱった時に自動的にスイッチが入るキヤノピースイッチを連結させて、直線に張ってあるテグスに不法侵入者、及び野良猫が足、又は体の一部を引っかけたらスイッチが自動的に入り、電子爆竹が爆音と閃光を発する防犯、及び野良猫防止用電子爆竹。
【考案の詳細な説明】
【技術分野】
【０００１】本考案は不法侵入者（泥棒等）及び野良猫の防止に関するものである。
【背景技術】
【０００２】これまで家屋等の建物への不法侵入者、及び野良猫の侵入時に際して、音を発生して侵入者、及び野良猫を撃退する器具は多数存在する。
【先行技術文献】
【０００３】その種類については超音波、赤外線センサーを窓、玄関、勝手口などの侵入口付近に設置して、警告音が出るようになっている。
【考案の概要】
【０００４】不法侵入者、及び野良猫に対して、音の発生する器具は多数あるが、従来の装置は事前に、その存在や音の質や音量が推定可能な器具であるので、不法侵入者、及び野良猫がこれに注意すれば容易に侵入される欠点があった。
本考案は不法侵入者、及び野良猫が気つかずに考案の装置に触れて初めて、爆音と閃光により、侵入意欲を喪失させるものである。
【考案が解決しようとする課題】
【０００５】そこで、上記の事実から不法侵入者、及び野良猫が気つかずに、しかも、恐怖感を抱かせるような連続する爆竹の大音響と閃光を発生する器具。
【課題を解決するための手段】
【０００６】市販の電子爆竹（ｅｌｅｃｔｒｏｎｉｃ  ｆｉｒｅｃｒａｃｋｅｒ）（公序良俗違反につき、不掲載）［Ｚｈｅｊｉａｎｇ，中国（本土）］と照明器具用のキヤノピースイッチ（公序良俗違反につき、不掲載）とテグス１０号（太さ約０，５２ｍｍ）〜３０号（太さ約０，９１ｍｍ）５〜２０ｍを接続する。不法侵入者、及び野良猫が入ってきそうな家の開口部の近辺の場所の庭木、庭石、窓枠、フラワーボックス、物干しの支柱、ブロック、置物などにテグスの端を結びつける。そのテグスを地面より高さ１０〜５０ｃｍに横へ張り、もう一方の端のテグスと結んだキヤノピースイッチを上記の庭木などにテープなどで結びつけて固定する。電子爆竹は軒下の壁に取り付けて雨などがかからないようにして、プラグを家の防水コンセントに差し込む。テグスの本数や形状はいろいろと考えられるがその細い透明のテグスに気つかずに不法侵入者、及び野良猫が入ってきて足又は体の一部を引っかけることにより、テグスに張力が生じ、自動的にキヤノピースイッチがＯＮになり、電気が通い、電子爆竹の衝撃的な音と閃光が炸裂し、発する。
【考案の効果】
【０００７】本考案は不法侵入者、及び野良猫自らの足や体の一部で目にみえないような細いテグスを引っかけることにより、爆発音が頭上の耳の近辺から発生するために当人、及び野良猫は驚愕する。更に家人、近隣の人々にも侵入の事実を通報するために、不法侵入者、及び野良猫は侵入をはたせず、退散するしかないと認識させる効果がある。
【図面の簡単な説明】
【０００８】
【図１】全体の正面図
【図２】全体の上からの図
【図３】家の外（窓、勝手口の近辺）にセットした図  ▲１▼  家の近くにセットした図  ▲２▼  家より遠くにセットした図
【図４】電子爆竹、キヤノピースイッチ、プラグの配線図
【図５】電子爆竹とキヤノピースイッチ、
【符号の説明】
【０００９】（１）  電子爆竹
（２）  テグス
（３）  キヤノピースイッチ
（４）  電気コード
（５）  プラグ及びプラグの先端
（６）  家屋の防水コンセント
（７）  庭の木、物干しの支柱、ブロック、石など
（８）  軒下
（９）  軒下の壁面
（１０）テグスの結び目
（１１）地面（ＧＬ）
【考案を実施するための形態】
【００１０】侵入し易い家の窓、ドア、勝手口などの近辺の外側の場所にテグスを横に庭木、や庭石、物干しの支柱などにセットする。電子爆竹はその近辺の軒下の壁にかけると共に電子爆竹のプラグを家の防水コンセントに差し込む。
【実施例】
【００１１】実際に、実験者にテグスを足で引っかけてみたところ自動的にスイッチが入り、電子爆竹をならしてみると音の大きさに驚愕した。
しかし、清掃者や身内の者がテグスを引っかけることがあるのでテグスの結び目をほどいたり、地面に下げておいたりコンセントからプラグをぬいておいたりすることも必要となる。
【産業上の利用可能性】
【００１２】本考案は不法侵入者、及び野良猫に知られず、自分の体の間近いところで発せられる轟音によって、当人、及び野良猫を驚愕せしめるのみならず、家人、近隣の人々に侵入を知らしめることになる。
従って本考案は新たな防犯器具、及び野良猫よけとしての価値がある。
【図１】
0003187523.tif 000003
【図２】
0003187523.tif 000004
【図３】
0003187523.tif 000005
【図４】
0003187523.tif 000006
【図５】
0003187523.tif 000007
【手続補正書】
【提出日】平成25年9月10日(2013.9.10)
【手続補正１】
【補正対象書類名】明細書
【補正対象項目名】０００６
【補正方法】変更
【補正の内容】
【０００６】市販の電子爆竹と照明器具用のキヤノピースイッチとテグス１０号（太さ約０，５２ｍｍ）〜３０号（太さ約０，９１ｍｍ）、５〜２０ｍを接続する。
不法侵入者、及び野良猫が入ってきそうな家の開口部の周辺の場所の庭木、庭石窓枠、フラワーボックス、物干しの支柱、ブロック、物置などにテグスの端を結びつける、そのテグスを地面より高さ１０〜５０ｃｍに横へ張り、もう一方の端のテグスと結んだキヤノピースイッチを上記の庭木などにテープなどで結びつけて固定する。
電子爆竹は軒下の壁に取り付けて雨などがかからないようにして、プラグを家の防水コンセントに差し込む。
テグスの本数や形状はいろいろと考えられるがその細い透明のテグスに気つかずに不法侵入者、及び野良猫が入ってきて足又は体の一部を引っかけることにより、テグスに張力が生じ、自動的にキヤノピースイッチがＯＮになり、電気が通い、電子爆竹の衝撃的な音と閃光が炸裂し、発する。
【手続補正２】
【補正対象書類名】図面
【補正対象項目名】図５
【補正方法】変更
【補正の内容】
【図５】
0003187523.tif 000008
(57)【要約】      （修正有）【課題】天面を注ぎ口にしてキャップをボトルから外す手間を解消した、便利な天面開閉式ペットボトルキャップを提供する。【解決手段】キャップの天蓋２を開閉して注ぎ口１とし、キャップ注ぎ口１をキャップ外径よりすぼめてキャップの内側に中蓋３がかかるようにし、これをボトル口との間に密接するように設置して、開栓前の漏れ、外からのいたずら防止の機能を保持した。開栓前はキャップ４とリング７がブリッジによってつながっている。ブリッジが切れているかによって開栓を確認するのは従来と同じである。【選択図】図３
0003187522.tif 000002
【実用新案登録請求の範囲】
【請求項１】
ネジ開栓式ペットボトルキャップの天面をキャップ本体とヒンジで繋いで開閉する蓋とし、キャップの上部を注ぎ口にして、ボトル注ぎ口に連結する構造。
【請求項２】
請求項１を効果的にするため、ボトルの注ぎ口を覆う中蓋をキャップの注ぎ口との間に密接して設置し、内容物の漏れ、開栓前のいたずらを防止する構造。
【考案の詳細な説明】
【技術分野】
【０００１】  本考案は、ペットボトルのキャップに関する
【背景技術】
【０００２】  従来の飲料水ペットボトルのキャップはネジ開栓式で密封され、開栓される課程でリングとのブリッジが切れることによっていたずら防止の安全性を確保し、その後は飲料時毎にキャップの開栓、閉栓を繰り返していた。
【考案の開示】
【考案が解決しようとする課題】
【０００３】  しかし、これでは飲料時ごとにキャップのネジを回転して、キャップをボトルから取り外す手間を要した。通常５００ｍｌ容器で３〜５回、２０００ｍｌ容器で５〜１０回のキャップ開栓を繰り返す作業を要した。
【課題を解決するための手段】
【０００４】  そこで、キャップの天面を開閉式の蓋に変え、簡単に開き閉めできるようにした。しかしこれでは、ボトル内の飲料水が注ぎ口から漏れる恐れがあり、また開栓前に内容物に対していたずらされる恐れがある。このため、キャップ内に中蓋を設置してボトル口を密封し、開栓前の漏れを防止、また、キャップ本体はネジ開栓式とし、キャップとリングを繋いで開栓前の中蓋を外から取れなくして、安全性を確保した。
【考案の効果】
【０００５】  飲料時に一旦開栓してキャップをボトルから取り外し、キャップ注ぎ口から指で押して中蓋を取り除く。キャップをボトルに付け直して、天蓋の開閉で飲料できる状態にする。よって、以後の飲料時には天蓋の開け閉めで済み、手間が解消される。中蓋はキャップ注ぎ口の円周縁とボトル口により固定されているので、キャップ開栓以外は外から取り外すことができず、いたずら防止になる。天蓋の開閉で飲料できることは、指先の力の弱い子供、老人には便利であり、キャップが手元から離れて紛失することもない。また従来は、飲み口であったボトル口に雑菌が付着しやすい問題があったが、キャップを飲み口とするため、取り外して洗浄でき、衛生的である。
【考案を実施するための最良の形態】
【０００６】  キャップ＝栓には、ボトルに充填された内容物の品質を保証するのは当然として、その開栓性や利便性、また今日ではリサイクル性を果たすことが要求される。本考案に係るキャップは以上のことを重点に、利便性を一層向上する機能を持たせたものである。
キャップの天面２を蓋として開閉式にするには、開栓前のボトル口の密封性を保持しなければならない。そのためキャップ注ぎ口１とボトル口の間に中蓋３を設置して密封し、内容物の漏れ防止及び外部からのいたずら防止を保持する。キャップの注ぎ口１はボトル５の注ぎ口と接面するキャップ本体部分の外径よりすぼめて小さくする。中蓋３の外径はキャップの注ぎ口外径より大きくし、ボトル口外径と同じ大きさとする。これにより、キャップ４を閉めた状態において、ボトル口を密封して固定される。
いま、ボトル口直径２８ｍｍとすると、中蓋３の直径は２８ｍｍとし、キャップ注ぎ口１より大きいものとする。キャップの注ぎ口は２８ｍｍ−Ｘである。キャップ注ぎ口の飲みやすい状態を２０ｍｍとすると、Ｘ＝円周縁４ｍｍによって中蓋３はボトル口との間で固定される。中蓋３の材質はキャップ４と同質系とする。
内容物に対する品質保証、安全性の確保、また使用後、キャップをボトルと切り離してリサイクルしやすくするため、キャップとボトルはネジ開栓式とし、開栓前のいたずら防止はリングのブリッジによって保持される。
【図面の簡単な説明】
【０００７】
【図１】［Ａ図］本考案に係るキャップをボトルに装着した断面図。開栓前、中蓋を取り付けた状態。［Ｂ図］開栓後、中蓋を取り外している状態図。
【図２】［Ａ図］本考案に係るキャップの断面図。天蓋を閉めた状態図。［Ｂ図］本考案に係るキャップの断面図。天蓋を開けた状態図。
【図３】［Ａ図］本考案に係るキャップの半透視図。天蓋を開けた状態図。［Ｂ図］本考案に係るキャップの全体図。天蓋を閉めた状態図。
【図４】［Ａ図］本考案に係るキャップ全体の透視図。天蓋を開けた状態図。［Ｂ図］本考案に係るキャップの立面図。
【図５】［参考図］従来のキャップをボトルに装着した図。
【符号の説明】
【０００８】１  キャップの注ぎ口
２  キャップの天蓋
３  中蓋
４  キャップ
５  ペットボトル
６  ボトルのネジ山
７  キャップのリング
Ｘ  中蓋がキャップの注ぎ口にかかる円周縁
【図１】
0003187522.tif 000003
【図２】
0003187522.tif 000004
【図３】
0003187522.tif 000005
【図４】
0003187522.tif 000006
【図５】
0003187522.tif 000007
【手続補正書】
【提出日】平成25年9月10日(2013.9.10)
【手続補正１】
【補正対象書類名】実用新案登録請求の範囲
【補正対象項目名】全文
【補正方法】変更
【補正の内容】
【実用新案登録請求の範囲】
【請求項１】
ネジ開栓式ペットボトルキャップの天面をキャップ本体と切り離し、天面をキャップ本体とヒンジで繋いで開閉する蓋とし、キャップの天面を注ぎ口にして、ボトル注ぎ口に連結する構造とした天面開閉式ペットボトルキャップ。
【請求項２】
ネジ開栓式ペットボトルキャップの天面をキャップ本体と切り離し、天面をキャップ本体とヒンジで繋いで開閉する蓋を特徴とする請求項１のキャップで、ボトルの注ぎ口を塞ぐ中蓋をキャップの注ぎ口縁に密接して設置し、キャップを開栓しなければ取り外せない形状とし、内容物の漏れ、開栓前のいたずらを防止する構造とした天面開閉式ペットボトルキャップ。
(57)【要約】      （修正有）【課題】乳幼児、幼児、児童、学生の女子の衣服やカバン等に装着し、ハンドタオルをぶら下げていつでも使用できるようにしたハンドタオルクリップホルダを提供する。【解決手段】衣服やカバン等にはさむための上部クリップ１と、空洞部を有するモチーフ２と、モチーフ２の中を通るチェーンによって上部クリップ１と繋がれ、ハンドタオルをはさむ下部クリップ３と、を備える。下部クリップ３はモチーフ２の空洞部に格納される。女性が好むモチーフ２を入れて、ファッション性も重視し着用しやすくした。中間のモチーフ２をシリコン製の柔らかい物にして安全面も重視した。【選択図】図１
0003187525.tif 000002
【実用新案登録請求の範囲】
【請求項１】
ハンドタオルが入るような大きなポケットが衣服に無くても衣類やバック等に装着していつでもハンドタオルが携帯できる事。
【請求項２】
柔らかいシリコンをモチーフに使いなおかつモチーフの中に空間を作りその中にクリップが格納されるためクリップ部分が体にあたっても痛くなりにくくクリップへの衝撃も緩和できる。
【考案の詳細な説明】
【技術分野】
【０００１】
本考案は、ハンドタオルを携帯する時衣服やカバンに装着できる、クリップに関するものである。
【背景技術】
【０００２】
女性の衣服には大きいポケットが少ないためハンドタオルを持ち歩く時カバン等に入れているため、すぐに使用できなかった。
【考案の概要】
【考案が解決しようとする課題】
【０００３】
乳幼児、幼児、児童、学生の女子の衣服には大きいポケットが少ないためハンドタオルを持ち歩くのに不便が生じるそこで、衣服やカバン等にプラスティック製のクリップを装着し、ハンドタオルをつけていつでも使用できるようになおかつ、クリップの固い部分が体にあたらないよう提供する。
【課題を解決するための手段】
【０００４】
上部のプラスティック製のクリップを衣服やカバン等にはさむ。下部のプラスティック製のクリップにハンドタオルをはさむ。上部クリップと下部クリップの間に女性が好むモチーフを入れる事によりファッション性も重視し着用しやすくした。上部と下部のクリップをプラスティック製にしたことにより安全面も重視した。中間のモチーフをシリコン製の柔らかい物にしたことにより身体に直接クリップがあたらないようまた、クリップの外から衝撃も防げるという使用者と本体両方の保護も重視した。
【図面の簡単な説明】
【０００５】
【図１】1は衣服に装着するためのクリップ。2はモチーフの中が空洞になっておりハンドタオルを装着するためのクリップが格納されている。3は1のクリップよりチェーンによってモチーフの中を通りハンドタオルを装着するための1と同じクリップが付いている。
【図２】1は衣服に装着するためのクリップ。2はモチーフの中が空洞になっておりハンドタオルを装着するためのクリップが格納されている。3は1のクリップよりチェーンによってモチーフの中を通りハンドタオルを装着するための1と同じクリップが付いている。
【図１】
0003187525.tif 000003
【図２】
0003187525.tif 000004
【手続補正書】
【提出日】平成25年8月20日(2013.8.20)
【手続補正１】
【補正対象書類名】実用新案登録請求の範囲
【補正対象項目名】全文
【補正方法】変更
【補正の内容】
【実用新案登録請求の範囲】
【請求項１】
ハンドタオルが入るような大きなポケットが衣服に無くても衣類やバック等に装着していつでもハンドタオルが携帯できることを特徴とするハンドタオルクリップホルダー。
【請求項２】
柔らかいシリコンをモチーフに使いなおかつモチーフの中に空間を作りその中にクリップが格納されるためクリップ部分が体にあたっても痛くなりにくくクリップへの衝撃も緩和できることを特徴とするハンドタオルクリップホルダー。
【手続補正書】
【提出日】平成25年9月24日(2013.9.24)
【手続補正１】
【補正対象書類名】実用新案登録請求の範囲
【補正対象項目名】全文
【補正方法】変更
【補正の内容】
【実用新案登録請求の範囲】
【請求項１】
衣服やカバン等にはさむための上部クリップ  （１）  と、空洞部を有するモチー
フ  （２）  と、 前記モチーフ  （２）  の中を通るチェーンによって前記上部クリップ
（１）   と繋がれ、ハンドタオルをはさむ下部クリップ  （３）  と、を備え、前記下
部クリップ  （３）  は前記モチーフ  （２）  の空洞部に格納されることを特徴とする
ハンドタオルクリップホルダー。
(57)【要約】      （修正有）【課題】作物の種まき後に作物と同時に生長する雑草取り作業で作業者の疲労を少なくする移動式草取り椅子を提供する。【解決手段】箱形状の椅子２の側面上部中央に孔を設け、この孔に作業者３の下腹部と固定するためのバンド１を通す。作業者３が作業し移動する場合はそのまま立ち上がり椅子２を付けた常態で移動しそのまま座って次ぎの作業をする事により作業者の疲労を少なくする事が出来る。【選択図】図２
0003187521.tif 000002
【実用新案登録請求の範囲】
【請求項１】
水田以外の田畑の草取をする場合肉厚約４ミリ、径約１５センチと２５センチの楕円形又は円形で、高さは２０−４０センチの適度の強度を持ち重量１キログラム以下の強力プラスチック製、箱形状の椅子の短円部側面上部中央に横約３センチ縦約１センチの孔を開け、プラスチック又は革製の調整可能な通常のバンドを通し作業者が椅子に座った常態で下腹部に適度に固定して作業する。移動する場合はそのまま立ち上がり椅子を付けた常態で移動して後、そのまま座り次の作業が出来る事を特徴とする移動式草取り椅子。
【考案の詳細な説明】
【技術分野】
【０００１】      本考案は田畑の草取り等する場合に使用する椅子に関するものである。
【背景技術】
【０００２】      生産管理されたハウス栽培は別として通常田畑で野菜等の作物を栽培する場合種まき後にその生長と同時に雑草が生長する、この雑草を処理しなければ作物は育たない、水田の場合は除草剤等もあるがそれ以外の田畑の場合は人による草取り以外に方法はない、昔は腰を曲げながらの作業であったが最近では車付きの椅子を使用する人も有り座った常態ではあるが人の手で草取りをしている、是の作業は３−５分毎に移動する必要があり移動する場合は作業者が立ち上がり身体を反転し椅子を持ち上げるか又は転がして椅子を移動し作業者が向き直って椅子に座り次の作業を進めている、休憩を取りながらもこの作業を１日−２日と続ける事もある。
【先行技術文献】
【特許文献】
【０００３】
【考案の概要】
【考案が解決しようとする課題】
【０００４】      本考案は上記の草取り作業をする場合椅子を使用する点は重要であるが約３分−５分置きの作業の為に移動する場合は作業者が立ち上がり身体を反転し椅子を持ち上げるか又は転がして椅子を移動しその後自分が身体を向き直して椅子に座り続いて作業を進めるがこの移動の作業を容易にして作業の能率と作業者の疲労を少なくしようとするものである。
【課題を解決するための手段】
【０００５】      本考案は肉厚約４ミリ、径約１５センチと２５センチの楕円形又は円形で高さは２０−４０センチの適度の強度を持ち重量１ｋログラム以下の強力プラスチック製の箱形椅子で短円部両側面上部中央に横約３センチ縦約１センチの穴を開け、プラスチック製又は革製の調節可能な通常のバンドを通し作業者が椅子に座った常態で下腹部で適度に締め付けて作業する。移動の場合、作業者がそのままの立ちあがっても椅子は動かず持ち上がり移動後そのまま座り即作業を続ける事が出来るようにする。
【考案の効果】
【０００６】      本考案の効果としては軽量の椅子をバンドで身体に固定して移動するだけの少しの違いであるが農作業で草取り作業の比率は大きく此の効果は特に作業者の疲労を改善している点では効果大である。
【図面の簡単な説明】
【０００７】
【図１】  移動式草取り椅子とバンドの略図
【図２】  移動式草取り椅子を付けて座って作業する略図
【図３】  移動式草取り椅子を付けて立ち上がり移動する略図
【考案を実施するための形態】
【０００８】      草取り作業する前に作業者が椅子に座って下腹部にバンドを適度の強さに調整して身体に固定し作業を開始する、移動の場合はそのままの常態で立ち上がり移動し座って即作業する、作業以外で立ち上がる場合はバンドを外し椅子はそのままにする作業終了の場合は椅子を片付ける。
【符号の説明】
【０００９】１            プラスチック又は皮製の通常のバンド
２            プラスチック椅子
３            作業者
【図１】
0003187521.tif 000003
【図２】
0003187521.tif 000004
【図３】
0003187521.tif 000005
【手続補正書】
【提出日】平成25年9月9日(2013.9.9)
【手続補正１】
【補正対象書類名】実用新案登録請求の範囲
【補正対象項目名】全文
【補正方法】変更
【補正の内容】
【実用新案登録請求の範囲】
【請求項１】
箱形状の椅子の側面上部中央に孔を設け、此の孔に作業者の下腹部と固定する為のバンドを通した事を特徴とする移動式草取り椅子。
(57)【要約】      （修正有）【課題】医薬品を使わず蚊に刺された局部の痒みを軽減させることができる局部加熱式痒み軽減器を設ける。【解決手段】乾電池とトランジスタと押しボタンスイッチとを、押しボタンスイッチを押したときにトランジスタが熱損失により発熱するように接続し、発熱したトランジスタを局部に接触させるようにする。トランジスタの発熱を利用し、蚊に刺された痒い局部にトランジスタを直接皮膚に接触させ加熱することにより痒みを軽減させることができる。【選択図】図４
0003187532.tif 000002
【実用新案登録請求の範囲】
【請求項１】
乾電池と半導体素子を組み合わせ半導体の熱損失による発熱を利用し、半導体素子を直接に蚊に刺された局部のみに接触加熱ができることを特徴とする局部加熱式痒み軽減器。
【考案の詳細な説明】
【技術分野】
【０００１】
本考案は、蚊に刺されたときの痒みを軽減するための小型発熱装置に関するものである。
【背景技術】
【０００２】
蚊に刺された場合の痒みの軽減方法として各種の塗布剤を刺された箇所に塗布することが一般的である。
【０００３】
しかし、塗布した薬品の臭いが発生することや食料品を扱う職場ではお客様に不快感を与えてしまうことがある。
【考案の概要】
【考案が解決しようとする課題】
【０００４】
医薬品によらず蚊に刺された局部の痒みを軽減することである。
【課題を解決するための手段】
【０００５】
本考案は、乾電池と半導体素子を組み合わせ半導体の熱損失による発熱を利用し、半導体を直接に蚊に刺された局部のみに接触加熱し痒みを軽減することを特徴とする。
【考案の効果】
【０００６】
本考案の局部加熱式痒み軽減器は、使用時に臭いの発生もなく軽量かつ携行可能で発熱した小型半導体素子を蚊に刺された痒い局部にだけ当てられ安全で痒みが軽減し、使用時のみ電源をＯＮ状態にするため繰り返し利用が可能で操作は極めて簡単である。
【図面の簡単な説明】
【０００７】
【図１】局部加熱式痒み軽減器の全体図である。
【図２】局部加熱式痒み軽減器の皮膚接触部半導体である。
【図３】局部加熱式痒み軽減器の使用方法の例である。
【図４】局部加熱式痒み軽減器の回路図である。
【考案を実施するための形態】
【０００８】
半導体のコレクタ損失の最大定格を超えないようコレクタとベース間の抵抗を調整します。
【実施例１】
【０００９】
１．５Ｖをコレクタとエミッター間に加えた場合は、約５００ｍＡの電流になるよう抵抗値を調整します。
【００１０】
作動用スイッチは、押しボタン型を使用します。
【図１】
0003187532.tif 000003
【図２】
0003187532.tif 000004
【図３】
0003187532.tif 000005
【図４】
0003187532.tif 000006
【手続補正書】
【提出日】平成25年9月26日(2013.9.26)
【手続補正１】
【補正対象書類名】実用新案登録請求の範囲
【補正対象項目名】全文
【補正方法】変更
【補正の内容】
【実用新案登録請求の範囲】
【請求項１】
乾電池とトランジスタと作動用スイッチとを、前記作動用スイッチを作動したときに前記トランジスタが熱損失により発熱するように接続し、発熱した前記トランジスタを局部に接触させるようにしたことを特徴とする局部加熱式痒み軽減器。
(57)【要約】      （修正有）【課題】工事用の敷鉄板に形成の吊り孔を埋めて安全を確保する埋設体を有する敷鉄板を提供する。【解決手段】敷鉄板に形成の吊り孔に装着して平坦部を形成する埋設体２０Ａであり、埋設体２０Ａは磁石２２で敷鉄板に吸着する。また、別の形態として、埋設体２０Ｂは、吊り孔の内径より小さく、敷鉄板に、磁石２５を装着するために、鉄体の中心に向けて切込み２３を形成し、一対の切込み２３の間の切片２４を折り曲げて、敷鉄板とほぼ同じ厚みとなる空間を形成して、その空間に磁石２５を装着する。この埋設体２０Ｂを吊り孔に装着すると、磁石２５が敷鉄板に吸着して平坦部を形成し、人が歩行する際に、足を取られて、転倒したり、足をくじいたりする危険がなくなる。【選択図】図２
0003187570.tif 000002
【実用新案登録請求の範囲】
【請求項１】
フック用の吊り孔が明けられている敷鉄板であって、
前記吊り孔に装着して平坦部を形成する埋設体であり、
前記埋設体は磁石で敷鉄板に吸着することを特徴とする敷鉄板。
【請求項２】
埋設体は、円形の鉄体と磁石の２段で形成されていることを特徴とする請求項１の敷鉄板。
【請求項３】
埋設体は、鉄体の中心に向けて形成の一対の切込みの切片を折り曲げて、敷鉄板とほぼ同じ厚みとなる空間を形成して、その空間に磁石を装着してなることを特徴とする請求項１の敷鉄板。
【考案の詳細な説明】
【技術分野】
【０００１】
本願考案は仮設道路や工事現場等において、車両等の通路を形成するために地上に敷設される工事用の敷鉄板に関する。
【背景技術】
【０００２】
従来、敷鉄板として、長辺６ｍ、短編.５ｍ、厚み２２〜２５ｍｍ程度の鉄板である。また、この敷鉄板１は、図１に示すように隅部にフック用の吊り孔５が明けられている。
そして、自動車の荷台から、敷鉄板１を地上に降ろすに当たって、吊り孔５にフック８を装着し、ワイヤー９をクレーンに付設のフック１０に装着して、クレーンで地上に降ろす。そして、順次、降ろされた敷鉄板１は地上に配設されて仮設道路が作成される。
尚、この敷鉄板はよく知られたものであるため、先行技術文献を挙げるまでもない。
【考案の概要】
【考案が解決しようとする課題】
【０００３】
地上に敷設された敷鉄板は、仮設道路を形成し、自動車の他、人も歩く。一方、敷鉄板には、４隅に、吊り孔５がある。人が、この吊り孔５を踏むと、足を取られて、転倒したり、足をくじいたりして危険である。
そこで、本考案は、吊り孔５に装着する埋設体を提供し、かかる危険を防止する。
【課題を解決するための手段】
【０００４】
請求項１の敷鉄板は、フック用の吊り孔が明けられている。また、前記吊り孔に装着して平坦部を形成する埋設体は、磁石で敷鉄板に吸着する。
又、請求項２の敷鉄板は、埋設体を円形の鉄体と磁石の２段で形成されている。
又、請求項３の敷鉄板は、埋設体を、鉄体の中心に向けて形成の一対の切込みの切片を折り曲げて、敷鉄板とほぼ同じ厚みとなる空間を形成して、その空間に磁石を装着してなる。
【考案の効果】
【０００５】
本願の埋設体は磁石を介して装着、脱着でき、装着することによって安全を確保できる。
【図面の簡単な説明】
【０００６】
【図１】敷鉄板を敷く作業を示す図である。
【図２】（Ａ）（Ｂ）は埋設体の図である。
【考案を実施するための形態】
【０００７】
本願考案を図を参照して説明する。
長辺６ｍ、短編.５ｍ、厚み２２〜２５ｍｍ程度の鉄板である敷鉄板１は、図１に示すように隅部にフック用の吊り孔５が明けられていて、仮設道路として地上に配置される。そして、開口している吊り孔５には、図２に示す埋設体が挿入される。
【０００８】
図２（Ａ）に示す埋設体２０Ａは、吊り孔５の内径より小さな円柱体であり、上部が鉄体２１で下部が磁石２２で、敷鉄板１とほぼ同じ厚みに形成してある。鉄体２１は磁石２２に吸着されて一体になるが、鉄体２１に替えて強固な樹脂である場合には、接着剤で吸着して一体にする。
尚、この埋設体２０Ａの口径は、吊り孔５の口径より小さいが、その口径は埋設体２０Ａをドライバーで取り出しできる程度の隙間を有する小ささである。
又、この埋設体２０Ａを吊り孔５に装着すると、磁石２２が敷鉄板１に吸着し、平坦部を形成する。即ち、吊り孔５は塞がれた状態になり、人が歩行する際に、足を取られて、転倒したら、足をくじいたりする危険がなくなる。
【０００９】
尚、磁石２２を上に、鉄体２１を下に構成しても良いし、磁石２２の口径は鉄体２１の口径より小さくても良いし、磁石２１は敷鉄板１の吊り孔５の側面に磁性結合可能であればよいため、円柱である他、環状であってもよい。
【００１０】
図２（Ｂ）に示す埋設体２０Ｂは、吊り孔５の内径より小さく、敷鉄板１に、磁石２５を装着するために、鉄体の中心に向けて切込み２３を形成し、一対の切込み２３の間の切片２４を折り曲げて、敷鉄板１とほぼ同じ厚みとなる空間を形成して、その空間に磁石２５を装着する。
この埋設体２０Ｂを吊り孔５に装着すると、磁石２５が敷鉄板１に吸着して平坦部を形成するの、人が歩行する際に、足を取られて、転倒したら、足をくじいたりする危険がなくなる。
【００１１】
尚、埋設体２０Ａ、２０Ｂの構成を例示したが、鉄体又は樹脂体と、敷鉄板に磁石で結合可能に構成すればよく、これらの例示に限定されないことは言うまでもない。
【００１２】
吊り孔５にフック８を装着し、ワイヤー９をクレーンのフック１０に装着して、自動車の荷台から敷鉄板１を地上に降して仮設道路が作成される。そして、前記敷鉄板１に形成の吊り孔５に、埋設体２０Ａ又は埋設体２０Ｂを装着することによって、埋設体は磁石によって、吊り孔５は閉鎖されて歩行に際する危険は防止される。
一方、この敷鉄板１を除去するに当たって、ドライバー等によって埋設体２０Ａ又は埋設体２０Ｂを吊り孔５から取り出して、吊り孔５にフック８を装着し、ワイヤー９をクレーンのフック１０に装着して、自動車の荷台に積みこむ。
このように、埋設体は、磁石を介して吊り孔に装着するので、容易に装着できるし、容易に脱着でき、安全を確保できる。
【符号の説明】
【００１３】
１  敷鉄板
５  吊り孔
２０Ａ、２０Ｂ  埋設体
２１  磁石
２２  鉄体
２３  切込み
２４  切片
２５  磁石
【図１】
0003187570.tif 000003
【図２】
0003187570.tif 000004
(57)【要約】      （修正有）【課題】端部がほどけないように加工したホース等の保護カバーを提供する。【解決手段】ホース１１等の保護カバー１０は、素材がナイロン又はポリエステルからなる織物又は編物の筒状体であって、長手方向の切断端部１３が熱加工又は樹脂加工されている。熱加工は、たとえば、ピンテンター、アイロン、高温高圧スチーマ、によるヒートセット、又は、高温のナイフまたはワイヤ切断による溶融部形成である。樹脂加工は、たとえば樹脂のコーティング、含浸による端部形成である。【選択図】図１
0003187569.tif 000002
【実用新案登録請求の範囲】
【請求項１】
素材がナイロン、ポリエステル又は熱溶着糸からなる織物又は編物の筒状体であって、長手方向の切断端部（１３）が熱加工又は樹脂加工されていることを特徴とするホース等の保護カバー（１０）。
【請求項２】
前記熱加工が、ピンテンター、アイロン、高温高圧スチーマのいずれかによるヒートセットである請求項１記載の保護カバー。
【請求項３】
前記熱加工が、高温のナイフまたはワイヤ切断による溶融部形成である請求項１記載の保護カバー。
【請求項４】
前記樹脂加工が、樹脂のコーティング、含浸、フィルム加工、ラミネート加工のいずれかによる端部形成である請求項１記載の保護カバー。
【考案の詳細な説明】
【技術分野】
【０００１】
本考案は、ホース、金属配管、ケーブル等（以下、「ホース等」という）の保護カバーに関する。
【背景技術】
【０００２】
従来、ホース等を熱害、風喰、水害などから守ったり、ホース等から発生する熱害、騒音などを防止したり、油漏れや漏れた油の散乱を防止したり、ホース等を動かしているときに他の物品表面を擦って傷つけないようにするため、織物又は編物からなる保護カバーが使用されている。
【０００３】
そのような従来技術として、たとえば、特開２０００―２８３３８２や実用新案登録第３０２８１１７号が知られている。前者は片手しか入らないような狭い所にあるケーブル等に手早く被せて固定することを目的としており、後者はホースへの固定方式に特徴を有する。
【先行技術文献】
【特許文献】
【０００４】
【特許文献１】特開２０００―２８３３８２
【特許文献２】実用新案登録第３０２８１１７号
【考案の概要】
【考案が解決しようとする課題】
【０００５】
上記従来技術では言及していないが、この種の保護カバーには次のような問題がある。保護カバーをホース等に取り付けるときに、ホース等の長さに合わせて長尺筒状態の保護カバーを切断する必要がある。従来、ハサミやカッターで切断していたが、保護カバーは織物又は編物であるため、切断面から端部がほどけていくことがあった。このカバーの端部をホース等に強制的に被せる場合に、ホース等管状の内容物を希望する形態で緊密に保持することが難しくなってしまう。さらに、このような端部のほつれは見かけ上も望ましくない。
【０００６】
本考案は、この問題に対処するため、端部がほどけないように加工したホース等の保護カバーを提供することを目的とする。
【課題を解決するための手段】
【０００７】
本考案は、素材がナイロン、ポリエステル又は熱溶着糸からなる織物又は編物の筒状体であって、長手方向の切断端部（切断面およびその周辺）が熱加工又は樹脂加工されていることを特徴とするホース等の保護カバーである。
【０００８】
熱溶着糸としては、110〜120℃という低融点で全面的に熔融するナイロン熱融着糸（例えば、東レ株式会社の「エルダー（登録商標）」）や、ポリエチレンとポリプロピレン、ポリエステルとポリエチレン、ポリエステルと低融点ポリエステルなどの融点の異なる材料を単繊維中に芯と鞘の状態で紡糸したものを使用することができる。
【０００９】
熱加工としては、例えば、ピンテンター、アイロン、高温高圧スチーマ等によるヒートセット、又は、高温のナイフまたはワイヤ切断による溶融部形成があげられる。
【００１０】
樹脂加工としては、例えば、樹脂のコーティング、含浸、フィルム加工、ラミネート加工等による端部形成があげられる。
【考案の効果】
【００１１】
本考案によれば、ホース等の保護カバーの長手方向の切断端部が熱加工又は樹脂加工されているので、端部が簡単にはほどけない。
【００１２】
以下、添付の図面に基づき本考案の実施例を説明する。
【図面の簡単な説明】
【００１３】
【図１】（ａ）は本願考案の１実施例におけるホースカバーの斜視図である。（ｂ）は従来技術のホースカバーの斜視図である。
【考案を実施するための形態】
【００１４】
図１（ａ）（ｂ）に示すホースカバー１０，１０Ａは、素材がナイロン（たとえばナイロン６６）やポリエステルの糸条で製織された織物であり、幅方向の両端部１４，１４Ａが縫い合わされて細長い筒状体となっている。筒の直径は取り付けるホース１１、１１Ａの直径に応じて、たとえば直径１２．５ｃｍ、１６．０ｃｍなど、数種類用意されている。
【００１５】
図１（ｂ）に示すように、従来技術のホースカバーは、単にハサミやカッターで切断しただけであり、切断面１２Ａから切端がほどけかかっている。
【００１６】
図１（ａ）に示すように、本発明実施例では、切断面１２の切端がほどけていない。このような切断面を得るために、本考案では次のような処置を行う。
【００１７】
（１）ホースカバーの少なくとも切断端部をヒートセットする。
【００１８】
ヒートセットに用いる好ましい熱処理装置としては、ピンテンター、アイロン、高温高圧スチーマ、が挙げられる。ヒートセット温度は、用いるホースカバーの素材によって変わり、特に限定するものではないが、例えば、ホースカバーの素材がナイロン６６やポリエステル糸であるときには、１３０〜１９０℃とすることが好ましく、またヒートセット時間は、３０秒以上とし、生産性を考慮すれば９０秒以下とすることが好ましく、このようなヒートセット条件であれば、融着を生じることなく、均一にホースカバーをヒートセットすることができる。
【００１９】
（２）ホースカバーを高温のナイフまたはワイヤ（電熱線）で切断して融合切断面を得る。
【００２０】
それにより単繊維同士を融合させて切断面がほぐれたり解けたりするのを防止する。
【００２１】
（３）ホースカバーの端部を樹脂加工する。
樹脂加工するのに用いられる樹脂としては、有機溶媒により除去されれば特に制限はなく、また、加工方法としては実質的に素材繊維に付着・浸透・一体化されていれば、いかなる加工方法により加工された樹脂でも良い。使用される樹脂としては、ポリウレタン系樹脂、シリコーン系樹脂等が挙げられる。また、加工方法としては、コーティング、含浸、フィルム加工、ラミネート加工等が挙げられ、溶融樹脂もしくは樹脂溶液等を浸透させ、繊維表面に接着、付着もしくは浸透させたものやシート、フィルムを積層したものなどを含む。
【符号の説明】
【００２２】
１０，１０Ａ  保護カバー
１１，１１Ａ  ホース
１２，１２Ａ  ホース長手方向切断面
１３  切断端部
１４，１４Ａ  ホース幅方向端部
【図１】
0003187569.tif 000003
(57)【要約】      （修正有）【課題】鍵盤楽器の鍵盤と、楽譜の音符との対応を容易にする鍵盤音符対応シートを提供する。【解決手段】鍵盤楽器の複数の鍵盤にまたがり載置される鍵盤音符対応シートであって、白鍵上部に位置する上辺の連結部と、前記連結部から垂下し白鍵上に位置する部分と、黒鍵部分に相当し黒鍵を露出させる切り欠きと、前記黒鍵の間で白鍵が隣り合う部分の間に相当する位置の前記白鍵上に位置する部分に設けた切れ目とを備え、載置される部分のそれぞれに、五線および、白鍵の音の高さに相当する音符を記載する。【選択図】図２
0003187520.tif 000002
【実用新案登録請求の範囲】
【請求項１】
鍵盤楽器の複数の鍵盤にまたがり、載置するシートであって、五線で音の高さを表す音符を表示したことを特徴とした鍵盤音符対応シート
【考案の詳細な説明】
【技術分野】
【０００１】  本考案は、楽譜の音符を鍵盤楽器の鍵盤に対応させるためのものである。
【背景技術】
【０００２】  専門の知識を習得していない者には、楽譜の音符を鍵盤楽器の鍵盤に対応させるのに困難を伴う
【考案の開示】
【考案が解決しようとする課題】
【０００３】  専門の知識を有しない者でも、楽譜の音符を鍵盤楽器の鍵盤に容易に対応できるようにする。
【課題を解決するための手段】  そこで、鍵盤楽器のひとつひとつの鍵盤の上に、対応する、五線で音の高さを示した音符を表記したシートを載置する。連結部を上辺に設けシート状にすることによって、鍵盤音符対応シートを載置する位置を容易に認識できるようにする。
【考案の効果】
【０００５】  専門の知識を有しないものでも、楽譜の音符を鍵盤楽器の鍵盤に容易に対応できるようになり、曲を弾くことができるようになる。
【考案を実施するための最良の形態】
【０００６】  鍵盤の幅に合わせて切り込みを入れたシート状の物に、五線で音の高さを示した音符を表記する。
【図面の簡単な説明】
【０００７】
【図１】  本考案に係る鍵盤音符対応シートの表面図である。
【図２】  鍵盤音符対応シートを鍵盤に載置した図である。
【図１】
0003187520.tif 000003
【図２】
0003187520.tif 000004
【手続補正書】
【提出日】平成25年9月4日(2013.9.4)
【手続補正１】
【補正対象書類名】実用新案登録請求の範囲
【補正対象項目名】全文
【補正方法】変更
【補正の内容】
【実用新案登録請求の範囲】
【請求項１】
鍵盤楽器の複数の鍵盤にまたがり載置される鍵盤音符対応シートであって、
白鍵上部に位置する上辺の連結部と、
前記連結部から垂下し白鍵上に位置する部分と、
黒鍵部分に相当し黒鍵を露出させる切り欠きと、
前記黒鍵の間で白鍵が隣り合う部分の間に相当する位置の前記白鍵上に位置する部分に設けた切れ目とを備え、
載置される部分のそれぞれに、五線および、白鍵の音の高さに相当する音符が記載された鍵盤音符対応シート。